(57)【特許請求の範囲】
【請求項１】
自動車の車体の後部に取り付けられるハウジングと、
ハウジングの開放した外面を覆うように上記ハウジングに密着されたレンズと、
ハウジングの内側に配設されたソケットを介して装着されたバルブと、
バルブからの光ビームを後方に向かって反射させるようにハウジング内面に備えられた反射面と、を含んでいる、車両用後退灯具において、
上記反射面の反射領域が、複数の反射領域に分割されており、
第一の反射領域が、所定の範囲に対して拡散光を照射するように設定され、
第二の反射領域が、車両後退時における視認位置となる予め定められた点を中心とする自動車の車体後方の範囲に向かって指向性を有して照射するように設定されることを特徴とする、車両用後退灯具。
【請求項２】
自動車の車体の後部に取り付けられるハウジングと、
ハウジングの開放した外面を覆うように上記ハウジングに密着されたレンズと、
ハウジングの内側に配設されたソケットを介して装着されたバルブと、
バルブからの光ビームを後方に向かって反射させるようにハウジング内面に備えられた反射面と、を含んでいる、車両用後退灯具において、
上記反射面の反射領域が、複数の反射領域に分割されており、
第一の反射領域が、主として各国の法規によって定められた規格範囲に向かって拡散光を照射するようにされ、
第二の反射領域が、車両後退時における視認位置となる予め定められた点を中心として自動車の車体後方の必要範囲に向かって指向性を有し高い照度を得られるような、上記点への光軸に対してほぼ平行光を照射するように設定されることを特徴とする、車両用後退灯具。
【請求項３】
自動車の車体の後部に取り付けられるハウジングと、
ハウジングの開放した外面を覆うように上記ハウジングに密着されたレンズと、
ハウジングの内側に配設されたソケットを介して装着されたバルブと、
バルブからの光ビームを後方に向かって反射させるようにハウジング内面に備えられた反射面と、を含んでいる、車両用後退灯具において、
上記反射面の反射領域が、複数の反射領域に分割されており、
第一の反射領域が、主として各国の法規によって定められた規格範囲に向かって左右方向において所定の角度を有する拡散光を照射するようにされ、
第二の反射領域が、車両後退時における視認位置となる予め定められた点を中心として自動車の車体後方の必要範囲に向かって指向性を有し高い照度を得られるような、上記点への光軸に対して左右方向においてほぼ平行光を照射するように設定され、
上記反射領域のそれぞれが、個々に対応して上下方向の指向性を与えられていることを特徴とする、車両用後退灯具。
【請求項４】
自動車の車体の後部に取り付けられるハウジングと、
ハウジングの開放した外面を覆うように上記ハウジングに密着されたレンズと、
ハウジングの内側に配設されたソケットを介して装着されたバルブと、
バルブからの光ビームを後方に向かって反射させるようにハウジング内面に備えられた反射面と、を含んでいる、車両用後退灯具において、
上記レンズの屈折領域が、複数の屈折領域に分割されており、
第一の屈折領域が、所定の範囲に対して拡散光を照射するように設定され、
第二の屈折領域が、車両後退時における視認位置となる予め定められた点を中心とする自動車の車体後方の範囲に向かって指向性を有して照射するように設定されることを特徴とする、車両用後退灯具。
【請求項５】
自動車の車体の後部に取り付けられるハウジングと、
ハウジングの開放した外面を覆うように上記ハウジングに密着されたレンズと、
ハウジングの内側に配設されたソケットを介して装着されたバルブと、
バルブからの光ビームを後方に向かって反射させるようにハウジング内面に備えられた反射面と、を含んでいる、車両用後退灯具において、
上記レンズの屈折領域が、複数の屈折領域に分割されており、
第一の屈折領域が、主として各国の法規によって定められた規格範囲に向かって拡散光を照射するようにされ、
第二の屈折領域が、車両後退時における視認位置となる予め定められた点を中心として自動車の車体後方の必要範囲に向かって指向性を有し高い照度を得られるような、上記点への光軸に対してほぼ平行光を照射するように設定されることを特徴とする、車両用後退灯具。
【請求項６】
自動車の車体の後部に取り付けられるハウジングと、
ハウジングの開放した外面を覆うように上記ハウジングに密着されたレンズと、
ハウジングの内側に配設されたソケットを介して装着されたバルブと、
バルブからの光ビームを後方に向かって反射させるようにハウジング内面に備えられた反射面と、を含んでいる、車両用後退灯具において、
上記レンズの屈折領域が、複数の屈折領域に分割されており、
第一の屈折領域が、主として各国の法規によって定められた規格範囲に向かって左右方向において所定の角度を有する拡散光を照射するようにされ、
第二の屈折領域が、車両後退時における視認位置となる予め定められた点を中心として自動車の車体後方の必要範囲に向かって指向性を有し高い照度を得られるような、上記点への光軸に対して左右方向においてほぼ平行光を照射するように設定され、
上記屈折領域のそれぞれが、個々に対応して上下方向の指向性を与えられていることを特徴とする、車両用後退灯具。
【請求項７】
自動車の車体の後部に取り付けられるハウジングと、
ハウジングの開放した外面を覆うように上記ハウジングに密着されたレンズと、
ハウジングの内側に配設されたソケットを介して装着されたバルブと、
バルブからの光ビームを後方に向かって反射させるようにハウジング内面に備えられた反射面と、を含んでいる、車両用後退灯具において、
上記反射面の反射領域が、複数の反射領域に分割されており、
上記レンズの屈折領域が、複数の屈折領域に分割されており、
第一の反射領域と屈折領域との組合せが、所定の範囲に対して拡散光を照射するように設定され、
第二の反射領域と屈折領域との組合せが、車両後退時における視認位置となる予め定められた点を中心とする自動車の車体後方の範囲に向かって指向性を有して照射するように設定されることを特徴とする、車両用後退灯具。
【請求項８】
自動車の車体の後部に取り付けられるハウジングと、
ハウジングの開放した外面を覆うように上記ハウジングに密着されたレンズと、
ハウジングの内側に配設されたソケットを介して装着されたバルブと、
バルブからの光ビームを後方に向かって反射させるようにハウジング内面に備えられた反射面と、を含んでいる、車両用後退灯具において、
上記反射面の反射領域が、複数の反射領域に分割されており、
上記レンズの屈折領域が、複数の屈折領域に分割されており、
第一の反射領域と屈折領域との組合せが、主として各国の法規によって定められた規格範囲に向かって拡散光を照射するようにされ、
第二の反射領域と屈折領域との組合せが、車両後退時における視認位置となる予め定められた点を中心として自動車の車体後方の必要範囲に向かって指向性を有し高い照度を得られるような、上記点への光軸に対してほぼ平行光を照射するように設定されることを特徴とする、車両用後退灯具。
【請求項９】
自動車の車体の後部に取り付けられるハウジングと、
ハウジングの開放した外面を覆うように上記ハウジングに密着されたレンズと、
ハウジングの内側に配設されたソケットを介して装着されたバルブと、
バルブからの光ビームを後方に向かって反射させるようにハウジング内面に備えられた反射面と、を含んでいる、車両用後退灯具において、
上記反射面の反射領域が、複数の反射領域に分割されており、
上記レンズの屈折領域が、複数の屈折領域に分割されており、
第一の反射領域と屈折領域の組合せが、主として各国の法規によって定められた規格範囲に向かって左右方向において所定の角度を有する拡散光を照射するようにされ、
第二の反射領域と屈折領域の組合せが、車両後退時における視認位置となる予め定められた点を中心として自動車の車体後方の必要範囲に向かって指向性を有し高い照度を得られるような、上記点への光軸に対して左右方向においてほぼ平行光を照射するように設定され、
上記反射領域と屈折領域の組合せのそれぞれが、個々に対応して上下方向の指向性を与えられていることを特徴とする、車両用後退灯具。
【発明の詳細な説明】
【０００１】
【発明の属する技術分野】
本発明は、例えば自動車の後退時に点灯して、自動車の後方に光ビームを照射するようにした車両用後退灯具に関するものである。
【０００２】
【従来の技術】
従来、このような車両用後退灯具は、例えば図１１乃至図１３に示すように構成されている。
【０００３】
図１１において、車両用後退灯具１は、自動車の車体（図示せず）の後部に対して取り付けられるハウジング２と、ハウジング２の開放した後面を覆うレンズ３と、ハウジング２内にて、ハウジング２の後端にソケット４を介して装着されるバルブ５と、ハウジング２の内面に備えられた反射面（リフレクタ）６と、から構成されている。
【０００４】
上記レンズ３は、溶着等によってハウジング２に対して取り付けられており、ハウジング２の内部空間が形成されている。
上記反射面６は、バルブ５からの光ビームを反射して自動車の後方、例えば水平軸に関しては図１２に示すように、真っ直後方（所謂番線方向）に、また例えば垂直軸に関しては図１３に示すように、やや下向きに導くように構成されている。
【０００５】
このような構成の車両用後退灯具１によれば、バルブ５が点灯することにより、バルブ５から出射した光ビームが、直接にレンズ３を介して、あるいはハウジング２内面の反射面６により反射した後、レンズ３を介して、外部に進むことにより、自動車の車体後方に向かって光ビームを照射し、図１４に示すような配光特性をもって、一方向の光軸を有する拡散光として、後方視界を確保するようになっている。
【０００６】
ここで、図１４は、車両用後退灯具１による自動車の後方にて所定距離（１５ｍ）に配設されたスクリーンへの投影像の照度分布を示し、横軸が垂直軸Ｖを中心とした水平角度（ｄｅｇ）、縦軸が水平軸Ｈを中心とした垂直角度（ｄｅｇ）を表している。
そして、このような配光特性によって、自動車７の後方の路面上では、図１５に示すような路面照度分布が得られることになり、これによって、車両用後退灯具１は、各国の法規による車両用後退灯具の規格範囲を満たすように、構成されている。
【０００７】
【発明が解決しようとする課題】
ところで、このような構成の車両用後退灯具１においては、各国の法規を満たしているものの、運転者にとっては、後退時にバックミラーやサイドミラーあるいは直視による視認の際に、暗さを感じることが多い。
即ち、図１６に示すように、運転者は、右ハンドル車においては、自動車の運転中、自動車７の右側のサイドミラー７ａによって右側後方の点Ａから点Ｃの範囲を、左側のサイドミラー７ｂによって左側後方の点Ｂから点Ｄの範囲を、右側ドアガラスを通して直視により右側後方の点Ｅを、ルームミラー７ｃ及び直視によって後部ガラスを通して点Ｆから点Ｇ，点Ｈの範囲を、それぞれ視認することにより、左右の並列車や溝，縁石あるいは後部壁等の後方視界を確認するようにしている。
このうち、右ハンドル車においては特に点Ａ及び点Ｅが最重要ポイントであり、続いて点Ｂ，さらには点Ｈが重要なポイントになっている。
なお、左ハンドル車については、それぞれ線対称の位置が重要ポイントとなる。
【０００８】
しかしながら、前述した車両用後退灯具１においては、図１５のグラフに示すように、点Ａ，Ｂにおける照度は、あまり高いとはいえず、従って安全確認に時間がかかってしまうことがある。
特に、近年の前照灯の高性能化によって前方視野の照度が高くなってきており、それに伴って人間工学的見地から、車両用後退灯具による後方視野の暗さが目立つようになってきている。
【０００９】
本発明は、以上の点から、後退時におけるバックミラー，サイドミラーまたは直視等の必要範囲の視野を明るくするようにした、車両用後退灯具を提供することを目的としている。
【００１０】
【課題を解決するための手段】
上記目的は、本発明の第一の態様によれば、自動車の車体の後部に取り付けられるハウジングと、ハウジングの開放した外面を覆うように上記ハウジングに密着されたレンズと、ハウジングの内側に配設されたソケットを介して装着されたバルブと、バルブからの光ビームを後方に向かって反射させるようにハウジング内面に備えられた反射面と、を含んでいる、車両用後退灯具において、レンズを介して後方に出射する光が、自動車の車体後方にて、必要範囲に向かって指向性を有していることを特徴とする、車両用後退灯具により、達成される。
【００１１】
この第一の態様では、バルブから出射した光ビームが、自動車の車体後方にて、必要範囲に向かって指向性を有しているので、当該必要範囲における照度が高くなる。これにより、当該必要範囲における視認性が高められることになり、より容易に安全確認が行なわれ得ることになる。
【００１２】
本発明の第二の態様による車両用後退灯具は、前記第一の態様による車両用後退灯具において、上記指向性が、反射面により付与される。
この第二の態様では、バルブから出射した光ビームが、反射面により反射されるが、その際反射面により指向性が付与されることによって、自動車の後方の必要範囲に向かって照射されることになる。
【００１３】
本発明の第三の態様による車両用後退灯具は、前記第二の態様による車両用後退灯具において、上記反射面が、複数の反射領域に分割されており、各反射領域が、それぞれ対応する必要範囲に向かって光を反射させる。
この第三の態様では、バルブから出射した光ビームが、反射面により反射されるが、その際反射面の各反射領域によりそれぞれ互いに異なる指向性が付与されることによって、自動車の後方の複数の必要範囲に向かって照射されることになる。
【００１４】
本発明の第四の態様による車両用後退灯具は、前記第三の態様による車両用後退灯具において、上記複数の反射領域のうち、少なくとも一つが、各国の法規による規格範囲に向かって光を反射させる。
この第四の態様では、バルブから出射した光ビームが、反射面により反射されるが、その際反射面のうち、上記少なくとも一つの反射領域により各国の法規による規格範囲への指向性が付与されるので、自動車の後方の複数の必要範囲と共に、各国の法規による規格範囲が必要な照度となるように、光ビームが後方に向かって照射されることになる。
【００１５】
本発明の第五の態様による車両用後退灯具は、前記第一の態様による車両用後退灯具において、上記指向性が、レンズにより付与される。
この第五の態様では、バルブから出射した光ビームが、レンズを通過する際に、レンズにより指向性が付与されることによって、自動車の後方の必要範囲に向かって照射されることになる。
【００１６】
本発明の第六の態様による車両用後退灯具は、前記第五の態様による車両用後退灯具において、上記レンズが、複数の屈折領域に分割されており、各屈折領域が、それぞれ対応する必要範囲に向かって光を反射させる。
この第六の態様では、バルブから出射した光ビームが、レンズを通過する際に、レンズの各屈折領域によりそれぞれ互いに異なる指向性が付与されることによって、自動車の後方の複数の必要範囲に向かって照射されることになる。
【００１７】
本発明の第七の態様による車両用後退灯具は、前記第六の態様による車両用後退灯具において、上記複数の屈折領域のうち、少なくとも一つが、各国の法規による規格範囲に向かって光を反射させる。
この第七の態様では、バルブから出射した光ビームが、レンズを通過する際に、レンズの上記少なくとも一つの屈折領域により各国の法規による規格範囲への指向性が付与されるので、自動車の後方の複数の必要範囲と共に、各国の法規による規格範囲が必要な照度となるように、光ビームが後方に向かって照射されることになる。
【００１８】
本発明の第八の態様による車両用後退灯具は、前記第一の態様による車両用後退灯具において、上記指向性が、反射面及びレンズにより付与される。
この第八の態様では、バルブから出射した光ビームが、反射面で反射されて、あるいは直接にレンズを通過する際に、反射面及びレンズにより指向性が付与されることによって、自動車の後方の必要範囲に向かって照射されることになる。
【００１９】
【発明の実施の形態】
以下、この発明の好適な実施形態を図１乃至図１０を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１は、本発明による車両用後退灯具の一実施形態の構成を示している。
図１において、車両用後退灯具１０は、自動車の車体（図示せず）の後部に対して取り付けられるハウジング１１と、ハウジング１１の開放した後面を覆うレンズ１２と、ハウジング１１内にてハウジング１１の後端にソケット１３を介して装着されるバルブ１４と、ハウジング１１の内面に形成された反射面（リフレクタ）２０と、から構成されている。
【００２１】
上記ハウジング１１は、例えばＰＰ（ポリプロピレン）等の樹脂から形成されている。
上記レンズ１２は、例えばポリカーボネイト等の透明樹脂から構成されており、その周縁が、溶着等によってハウジング１１に対して取り付けられており、ハウジング１１の内部空間が形成されている。
【００２２】
上記ソケット１３は、ハウジング１１に対して取り付けられており、外部から適宜の公知の手段（図示せず）により給電されることにより、バルブ１４を点灯させるように構成されている。
【００２３】
上記反射面２０は、例えばＰＥＴ（ポリエチレンテフタレート）、ＡＢＳ、ＰＰ等の樹脂から構成されており、バルブ１４からの光を反射して自動車の後方に導くように構成されている。
【００２４】
以上の構成は、図１１に示した従来の車両用後退灯具１とほぼ同様の構成であるが、本発明実施形態による車両用後退灯具１０においては、以下の点で異なる構成になっている。
即ち、上記反射面２０は、図２及び図３に示すように、上下方向に関して、四段の反射領域２１，２２，２３，２４に分割された構成になっており、各反射領域は、例えばそれぞれ下から順に、水平方向，約５度下向き，約１０度下向き，約１５度下向きの指向性を、それぞれバルブ１４からの光ビームに対して付与するようになっている。
【００２５】
ここで、下側の二段の反射領域２１，２２は、各国の法規による規格範囲に光を照射するための法規満足エリア（図６における領域Ｘ）として作用する。
また、上側の二段の反射領域２３，２４は、必要範囲に光を照射するための重要照射ポイントエリア（図６における領域Ｙ）として作用する。
尚、図示の場合、反射面２０の下側の二段の反射領域２１，２２の一側（図６にて左側）の部分も、重要照射ポイントエリアＹとして作用するようになっている。
【００２６】
法規満足エリアにおける反射領域２１，２２は、図４に示すように、θａ度、例えば左右１５度の範囲に光を照射するように、拡散面として形成されている。
また、重要照射ポイントエリアにおける反射領域２３，２４は、図５に示すように、各必要範囲に対してそれぞれ光を照射するように、例えば左右に１０乃至５０度方向の光軸に沿ってほぼ平行光を照射するように、形成されている。
尚、各反射領域２１，２２，２３，２４は、一つの区画では、レンズ１２と干渉してしまう場合には、複数の区画に分割されて、多重反射面として構成されてもよい。
【００２７】
本発明実施形態による車両用後退灯具１０は、以上のように構成されており、バルブ１４が点灯することにより、バルブ１４から出射した光ビームのうち、反射面２０の法規満足エリアＸで反射された光ビームは、レンズ１２を介して後方に照射される。その際、光ビームは、真っ直後方に向かう番線方向の光軸に関して、例えば左右１５度の拡散光として後方に向かって照射されることにより、各国の法規による規格範囲を照射する。
また、反射面の重要照射ポイントエリアＹで反射された光ビームは、レンズ１２を介して後方に照射される。その際、光ビームは、左右１０乃至５０度の方向に延びる光軸に沿って特定の照射ポイントを重点的に照射するように、例えば平行光線として照射されることになる。
【００２８】
このようにして、車両用後退灯具１０は、その配光特性が、図７に示すように、特定方向（点Ａ，点Ｂ及び点Ｅの方向）に関して高い照度を有するように、指向性を有している。ここで、点Ａ，点Ｂ及び点Ｅは、図１４に示した点Ａ，点Ｂ及び点Ｅと同じである。
ここで、図７は、車両用後退灯具１０による自動車の後方にて所定距離（１５ｍ）に配設されたスクリーンへの投影像の照度分布を示している。
そして、このような配光特性によって、自動車７の後方の路面上では、図８に示すような路面照度分布が得られることになり、これによって、車両用後退灯具１０は、反射面２０の法規満足エリアＸによる反射光によって、各国の法規による車両用後退灯具の規格範囲を満たすと共に、反射面２０の重要照射ポイントエリアＹによる反射光によって、重要照射ポイント即ち点Ａ，点Ｂ及び点Ｅにて高い照度が得られるように、指向性をもって後方に向かって照射される。
これにより、運転者は、自動車の後退時に、車両用後退灯具１０のバルブ１４が点灯することによって、例えばサイドミラー，ルームミラーや直視による後方視野が明るくなるので、後方の必要範囲をより確実に視認することができるので、安心感が得られることになる。
【００２９】
上述した実施形態においては、バルブ１４からの光を、反射面２０の各反射領域２３，２４により指向性を付与して、必要範囲即ち重要照射ポイントに対して高い照度で光を照射するようになっているが、これに限らず、後方に向かって照射される光ビームが光学的に必要範囲に向かって指向性を有していればよい。
【００３０】
従って、例えば、図９に示した反射面３０のように、下側二段の反射領域３１，３２を主として法規満足エリアＸとし、上側の反射領域３３にて主としてポイントＢを、反射領域３４にて主としてポイントＤをそれぞれ重点的に照射する重要照射ポイントエリアＹ１とし、反射領域３５にて主としてポイントＡを重点的に照射する重要照射ポイントエリアＹ２とし、反射領域３６にて他のポイントを重点的に指向性をもって照射する重要照射ポイントエリアＹ３とした複合反射面とした反射鏡とする等の異なる反射面分割形態とすることにより特定の必要範囲を明るくするものとしても良い。
【００３１】
更に、図１０に示した車両用後退灯具の縦方向断面図のように、例えばレンズ４０が複数の屈折領域に分割され、各屈折領域により、対応する重要照射ポイントに向かって指向性を付与するようになっていてもよく、また反射面２０の各反射領域とレンズ４０の各屈折領域の組合せによって、光ビームに対して複数の必要範囲に向かう指向性を付与するようにしてもよい。
【００３２】
なお、上記した実施形態においては、右ハンドル車における例にて説明をしたが、左ハンドル車の場合には、左右を反転、即ち鏡面対象として、必要範囲即ち重要照射ポイント等を設定すれば良いことは明らかである。
【００３３】
また、上記実施形態においては、必要範囲即ち重要照射ポイントとして、点Ａ，点Ｂ及び点Ｅについて、バルブ１４からの光ビームに対して指向性を付与するようになっているが、これに限らず、必要に応じて他の必要範囲に向かう指向性を付与するようにしてもよいことは明らかである。
【００３４】
【発明の効果】
以上述べたように、本発明によれば、バルブから出射した光ビームが、自動車の車体後方にて、必要範囲に向かって指向性を有しているので、当該必要範囲における照度が高くなる。これにより、当該必要範囲における視認性が高められることになり、より容易に安全確認が行なわれ得ることになる。
このようにして、本発明によれば、後退時におけるバックミラー，サイドミラーまたは直視等の必要範囲の視野を明るくするようにした、車両用後退灯具が提供され得る。
【図面の簡単な説明】
【図１】本発明による車両用後退灯具の一実施形態を示す分解斜視図である。
【図２】図１の車両用後退灯具の反射面を示す正面図である。
【図３】図２の車両用後退灯具におけるＡ−Ａ線縦断面図である。
【図４】図２の車両用後退灯具におけるＢ−Ｂ線横断面図である。
【図５】図２の車両用後退灯具におけるＣ−Ｃ線横断面図である。
【図６】図２の反射面の法規満足エリア及び重要照射ポイントエリアを示す正面図である。
【図７】図１の車両用後退灯具による配光特性を示すグラフである。
【図８】図１の車両用後退灯具による路面照度分布を示すグラフである。
【図９】反射面の他の実施形態を説明する正面図である。
【図１０】レンズによる制御を行った車両用後退灯具の実施形態を示す縦断面図である。
【図１１】従来の車両用後退灯具の一例の構成を示す分解斜視図である。
【図１２】図１１の車両用後退灯具の横断面図である。
【図１３】図１１の車両用後退灯具の縦断面図である。
【図１４】図１１の車両用後退灯具による配光特性を示すグラフである。
【図１５】図１１の車両用後退灯具による路面照度分布を示すグラフである。
【図１６】自動車の後退時における照明の必要範囲（重要照射ポイント）を示す（Ａ）側面図及び（Ｂ）平面図である。
【符号の説明】
１０    車両用後退灯具
１１    ハウジング
１２    レンズ
１３    ソケット
１４    バルブ
２０    反射面
２１，２２，２３，２４    反射領域
Ｘ      法規満足エリア
Ｙ      重要照射ポイント（必要範囲）エリア
【図１】
0003973067.tif 000002
【図２】
0003973067.tif 000003
【図３】
0003973067.tif 000004
【図４】
0003973067.tif 000005
【図５】
0003973067.tif 000006
【図６】
0003973067.tif 000007
【図７】
0003973067.tif 000008
【図８】
0003973067.tif 000009
【図９】
0003973067.tif 000010
【図１０】
0003973067.tif 000011
【図１１】
0003973067.tif 000012
【図１２】
0003973067.tif 000013
【図１３】
0003973067.tif 000014
【図１４】
0003973067.tif 000015
【図１５】
0003973067.tif 000016
【図１６】
0003973067.tif 000017